(57)【要約】【課題】簡便な構成で、対象者に関連するデータを取得し、蓄積することができる技術を提供する。【解決手段】所定の対象者が所持し、該対象者の識別情報が記録された識別カード１１と、識別カードから識別情報を読み取る読取り装置１２とを備えたデータ蓄積システムにおいて、読取り装置により読み取られる識別情報に対して関連付けられる所定の関連データを該読取り装置に対して操作入力するための操作入力手段と、読取り装置により読み取られた識別情報及び該読取り装置に対して操作入力された関連データを関連付けて蓄積する情報処理装置１５と、情報処理装置において蓄積される識別情報及び関連データを、読取り装置から情報処理装置へ該蓄積のために転送する転送手段１３、１４とを設ける。【選択図】図１
2010072970.tif 000002
【特許請求の範囲】
【請求項１】
所定の対象者が所持し、該対象者の識別情報が記録された識別カードと、
前記識別カードから前記識別情報を読み取る読取り装置と、
前記読取り装置により読み取られる識別情報に対して関連付けられる所定の関連データを該読取り装置に対して操作入力するための操作入力手段と、
前記読取り装置により読み取られた識別情報及び該読取り装置に対して操作入力された関連データを関連付けて蓄積する情報処理装置と、
前記情報処理装置において蓄積される識別情報及び関連データを、前記読取り装置から前記情報処理装置へ該蓄積のために転送する転送手段とを具備することを特徴とするデータ蓄積システム。
【請求項２】
前記転送手段は前記識別情報及び関連データの転送を無線により行うものであることを特徴とする請求項１に記載のデータ蓄積システム。
【請求項３】
前記識別カードには、それを所持する前記対象者が利用できる電子メールアドレスが記録されており、
前記読取り装置は前記識別カードからの識別情報の読取りに際し、前記電子メールアドレスを併せて読み取るものであり、
前記情報処理装置は、前記識別情報及び関連データの蓄積を、対応する前記電子メールアドレスと関連付けて行い、かつ所定のタイミングにおいて、蓄積された該関連データに関する所定形式の電子メールを、対応する前記電子メールアドレス宛に送信するものであり、
前記転送手段は前記識別情報及び関連データの転送を、対応する前記電子メールアドレスとともに行うものであることを特徴とする請求項１又は２に記載のデータ蓄積システム。
【請求項４】
前記読取り装置は所定の配膳メニュー毎に設けられ、
前記関連データは、各読取り装置に対して予め操作入力された、対応する配膳メニューに係るカロリー値であり、
各対象者が各配膳メニューに係る配膳を受ける毎に、該配膳メニューに対応する読取り装置により該対象者の識別カードの識別情報が読み取られ、
各読取り装置により読み取られた識別情報及び、該読取り装置に対して操作入力されたカロリー値が関連付けられて前記情報処理装置において蓄積されることを特徴とする請求項１〜３のいずれか１項に記載のデータ蓄積システム。
【請求項５】
前記転送手段は、各読取り装置により読み取られる識別情報及び該読取り装置に対して操作入力されたカロリー値を前記情報処理装置に転送するに際し、該転送を１つのシリアル通信路により行うものであることを特徴とする請求項４に記載の対象者関連データ蓄積システム。
【請求項６】
前記操作入力手段は前記読取り装置に接続されたバーコードリーダであり、
各対象者が所定の売店内の商品を購入する毎に、前記バーコードリーダにより該商品に付されたバーコードが前記関連データとして前記読取り装置に対して操作入力され、かつ前記読取り装置により該対象者の前記識別カードの識別情報が読み取られ、
前記読取り装置により読み取られた識別情報及び、該読取り装置に対して操作入力されたバーコードが関連付けられて前記情報処理装置において蓄積されることを特徴とする請求項１〜３のいずれか１項に記載のデータ蓄積システム。
【請求項７】
所定の対象者が所持し、該対象者の識別情報が記録された識別カードから前記識別情報を読取り装置により読み取る読取り工程と、
前記読取り装置により読み取られる識別情報に対して関連付けられる所定の関連データを該読取り装置に対して操作入力する操作入力工程と、
前記読取り装置により読み取られた識別情報及び該読取り装置に対して操作入力された関連データを関連付けて、情報処理装置において蓄積する蓄積工程と、
前記情報処理装置において蓄積される識別情報及び関連データを、前記読取り装置から前記情報処理装置へ該蓄積のために転送する転送工程とを具備することを特徴とするデータ蓄積方法。
【発明の詳細な説明】
【技術分野】
【０００１】
本発明は、対象者に関連する所定の関連データを、該対象者が所持する識別カードに記録された識別情報に関連付けて蓄積するデータ蓄積システム及びデータ蓄積方法に関する。
【背景技術】
【０００２】
図１０は従来の栄養管理システムの構成を示すブロック図である。同図に示すようにこのシステムは、ＰＯＳ端末１０１、各ＰＯＳ端末１０１に接続された集計サーバ１０２、及び集計サーバ１０２に接続された栄養管理装置１０３を備える。ＰＯＳ端末１０１は、利用者が購入した商品をマスタ情報に基づいて特定して喫食データを作成し、集計サーバ１０２へ送信する。集計サーバ１０２は、商品コードやその商品に含まれる栄養素情報等を含むマスタ情報をＰＯＳ端末１０１へ配信するとともにＰＯＳ端末１０１からの喫食データを収集する。栄養管理装置１０３は、指定された利用者および期間における喫食データを集計サーバ１０２から読み出し、読み出した喫食データから栄養管理情報を作成して出力する。すなわち、利用者が購入した商品及び該利用者に関する情報をＰＯＳ端末１０１を介して取得し、取得情報に基づいて集計サーバ１０２及び栄養管理装置１０３により栄養管理を行う（特許文献１参照）。
【０００３】
【特許文献１】特開２００５−１３５２３８号公報
【発明の開示】
【発明が解決しようとする課題】
【０００４】
しかしながら、上記従来技術によれば、ＰＯＳ端末１０１は、集計サーバ１０２からマスタ情報の配信を受けて保持するとともに、利用者が商品を購入する際には、該マスタ情報に基づいて購入商品を特定し、該利用者についての喫食データを作成する必要がある。また、ＰＯＳ端末１０１、集計サーバ１０２、及び栄養管理装置１０３は、有線で接続されているので、各装置間の配線や、配線のためのスペースが必要であり、かつ配線が行える範囲の場所にしか設置することができない。
【０００５】
本発明の目的は、このような従来技術の問題点に鑑み、より簡便な構成で、対象者に関連するデータを取得し、蓄積することができる技術を提供することにある。
【課題を解決するための手段】
【０００６】
この目的を達成するため、第１の発明に係るデータ蓄積システムは、所定の対象者が所持し、該対象者の識別情報が記録された識別カードと、前記識別カードから前記識別情報を読み取る読取り装置と、前記読取り装置により読み取られる識別情報に対して関連付けられる所定の関連データを該読取り装置に対して操作入力するための操作入力手段と、前記読取り装置により読み取られた識別情報及び該読取り装置に対して操作入力された関連データを関連付けて蓄積する情報処理装置と、前記情報処理装置において蓄積される識別情報及び関連データを、前記読取り装置から前記情報処理装置へ該蓄積のために転送する転送手段とを具備することを特徴とする。
【０００７】
第２の発明に係るデータ蓄積システムは、第１発明において、前記転送手段は前記識別情報及び関連データの転送を無線により行うものであることを特徴とする。
【０００８】
第３の発明に係るデータ蓄積システムは、第１又は第２発明において、前記識別カードには、それを所持する前記対象者が利用できる電子メールアドレスが記録されており、前記読取り装置は前記識別カードからの識別情報の読取りに際し、前記電子メールアドレスを併せて読み取るものであり、前記情報処理装置は、前記識別情報及び関連データの蓄積を、対応する前記電子メールアドレスと関連付けて行い、かつ所定のタイミングにおいて、蓄積された該関連データに関する所定形式の電子メールを、対応する前記電子メールアドレス宛に送信するものであり、前記転送手段は前記識別情報及び関連データの転送を、対応する前記電子メールアドレスとともに行うものであることを特徴とする。
【０００９】
第４の発明に係るデータ蓄積システムは、第１〜第３のいずれかの発明において、前記読取り装置は所定の配膳メニュー毎に設けられ、前記関連データは、各読取り装置に対して予め操作入力された、対応する配膳メニューに係るカロリー値であり、各対象者が各配膳メニューに係る配膳を受ける毎に、該配膳メニューに対応する読取り装置により該対象者の識別カードの識別情報が読み取られ、各読取り装置により読み取られた識別情報及び、該読取り装置に対して操作入力されたカロリー値が関連付けられて前記情報処理装置において蓄積されることを特徴とする。
【００１０】
第５の発明に係るデータ蓄積システムは、第４発明において、前記転送手段は、各読取り装置により読み取られる識別情報及び該読取り装置に対して操作入力されたカロリー値を前記情報処理装置に転送するに際し、該転送を１つのシリアル通信路により行うものであることを特徴とする。
【００１１】
第６の発明に係るデータ蓄積システムは、第１〜第３のいずれかの発明において、前記操作入力手段は前記読取り装置に接続されたバーコードリーダであり、各対象者が所定の売店内の商品を購入する毎に、前記バーコードリーダにより該商品に付されたバーコードが前記関連データとして前記読取り装置に対して操作入力され、かつ前記読取り装置により該対象者の前記識別カードの識別情報が読み取られ、前記読取り装置により読み取られた識別情報及び、該読取り装置に対して操作入力されたバーコードが関連付けられて前記情報処理装置において蓄積されることを特徴とする。
【００１２】
第７の発明に係るデータ蓄積方法は、所定の対象者が所持し、該対象者の識別情報が記録された識別カードから前記識別情報を読取り装置により読み取る読取り工程と、前記読取り装置により読み取られる識別情報に対して関連付けられる所定の関連データを該読取り装置に対して操作入力する操作入力工程と、前記読取り装置により読み取られた識別情報及び該読取り装置に対して操作入力された関連データを関連付けて、情報処理装置において蓄積する蓄積工程と、前記情報処理装置において蓄積される識別情報及び関連データを、前記読取り装置から前記情報処理装置へ該蓄積のために転送する転送工程とを具備することを特徴とする。
【発明の効果】
【００１３】
本発明によれば、簡便な構成で、対象者に関連するデータを取得し、蓄積することができる。
【発明を実施するための最良の形態】
【００１４】
図１は本発明の第１の実施形態に係る摂取カロリー値蓄積システムの構成を示すブロック図である。このシステムは、会社の社員食堂において各社員が摂取するカロリー値を、配膳メニュー毎のデータとして取得し、蓄積するものである。同図に示すように、このシステムは社員１０が所持する社員証１１に組み込まれたＩＣタグ１１ａ、ＩＣタグ１１ａの情報を読み取るＲＦＩＤリーダ１２、ＲＦＩＤリーダ１２に接続された無線機１３、無線機１３と無線通信が可能な無線機１４、及び無線機１４に接続されたパソコン１５を備える。ＲＦＩＤリーダ１２及びこれに接続された無線機１３の組は、配膳メニューの数と同数のものが、配膳カウンタ１６における各配膳メニューに対応する配膳カウンタ部分に設けられる。
【００１５】
図２はＩＣタグ１１ａの構成を示すブロック図である。同図に示すように、ＩＣタグ１１ａはそれが組み込まれた社員証１１の社員番号が記録されたタグ２１、及びタグ２１に記録された社員番号を無線送信する無線チップ２２を備える。タグ２１は無線チップ２２に接続されたメモリにより構成される。無線チップ２２は各ＲＦＩＤリーダ１２の所定の近傍において、ＲＦＩＤリーダ１２から電波により送られる電力によって起動し、タグ２１から社員番号を読み出してＲＦＩＤリーダ１２に送信する。
【００１６】
図３はＲＦＩＤリーダ１２の構成を示すブロック図である。同図に示すように、ＲＦＩＤリーダ１２は社員証１１から送信される社員番号を受信する通信部３１、カロリー値を入力するためのキー入力部３２、通信部３１により受信した社員番号と、キー入力部３２により入力されたカロリー値とを一対のデータとする一対処理部３３、及び該一対データを無線機１３に送信するＲＳ２３２Ｃ通信部３４を備える。キー入力部３２からは、該キー入力部３２を有するＲＦＩＤリーダ１２が設置された配膳カウンタ部分に対応する配膳メニューにより摂取されるカロリー値が予め入力される。ＲＳ２３２Ｃ通信部３４は、ＲＳ２３２Ｃの規格によるインタフェースを介して無線機１３との通信を行う。
【００１７】
図４は無線機１３及び１４の構成を示すブロック図である。同図（ａ）が無線機１３の構成であり、同図（ｂ）が無線機１４の構成である。同図（ａ）に示すように無線機１３は、ＲＦＩＤリーダ１２から送信される一対データを受信するＲＳ２３２Ｃ通信部４１、ＲＳ２３２Ｃ通信部４１により受信した一対データを無線通信用データに変換する変換処理部４２、及び変換処理部４２からの無線通信用の一対データを無線機１４に送信する無線通信部４３を備える。ＲＳ２３２Ｃ通信部４１はＲＳ２３２Ｃの規格によるインタフェースを介してＲＦＩＤリーダ１２との通信を行う。
【００１８】
同図（ｂ）に示すように、無線機１４は、無線機１３から送信される一対データを受信する無線通信部４４、無線通信部４４が受信した一対データをＲＳ２３２Ｃによる通信用のデータに変換する変換処理部４５、及び変換処理部４５からのＲＳ２３２Ｃ用の一対データをパソコン１５に送信するＲＳ２３２Ｃ通信部４６を備える。ＲＳ２３２Ｃ通信部４６はＲＳ２３２Ｃの規格によるインタフェースを介してパソコン１５との通信を行う。
【００１９】
この構成において、社員１０が配膳カウンタ１６における所望の配膳メニューの配膳カウンタ部分のところで配膳を受ける際に、該カウンタ部分に設けられたＲＦＩＤリーダ１２に対して社員証１１をかざすと、ＲＦＩＤリーダ１２は、社員証１１のＩＣタグ１１ａから社員番号を通信部３１により読み取り、該社員番号と、予めキー入力部３２により設定されているカロリー値とを一対処理部３３において一対データとし、ＲＳ２３２Ｃ通信部３４により無線機１３に送る。このカロリー値は、該社員１０が該配膳メニューの料理により摂取するカロリー値である。
【００２０】
この一対データをＲＳ２３２Ｃ通信部４１により受信すると、無線機１３は、該一対データを変換処理部４２により無線通信用データに変換し、無線通信部４３により無線機１４に送信する。該一対データを無線通信部４４により受信すると、無線機１４は、該一対データを変換処理部４５によりＲＳ２３２Ｃ用のデータに変換し、ＲＳ２３２Ｃ通信部４６によりパソコン１５に送信する。該一対データを受信するとパソコン１５は、該一対データに対してその受信時点を示すタイムスタンプを付加し、さらにこれを所定の表計算ソフト用のデータに変換し、該表計算ソフトが扱う所定のファイル中の新たなレコードとして記録する。このレコードには、該一対データに基づく社員番号及びカロリー値、並びに付加されたタイムスタンプによる時刻の各項目が含まれる。
【００２１】
以上の処理は、各社員１０が所望の配膳メニューの配膳を受けるために社員証を各ＲＦＩＤリーダ１２に対してかざす毎に行われる。これにより、各社員１０について、いつどれだけのカロリーを摂取したかが順次記録され、データベース化される。このデータベースに基づき、各社員１０毎の所定期間における摂取カロリー量の積算値等を取得し、各社員１０の健康管理等に供することができる。
【００２２】
本実施形態によれば、各ＲＦＩＤリーダ１２に対し、対応する配膳メニューのカロリー値を予め入力しておくことにより、簡便な構成によって、各社員１０が社員食堂で摂取するカロリー量を蓄積し、データベース化することができる。配膳メニューの内容が変わった場合には、直ちに対応するＲＦＩＤリーダ１２に対し、新たな配膳メニューにより摂取されるカロリー値を設定することができる。また、ＲＦＩＤリーダ１２及びパソコン１５間の通信において無線通信を利用するようにしたため、ＲＦＩＤリーダ１２及びパソコン１５間の距離が離れていても一対データの送信を行うことができるとともに、ＲＦＩＤリーダ１２及びパソコン１５間の配線が不要となる。このため、システムの設置が容易となり、かつ設置における省スペース化を図ることができる。
【００２３】
図５は本発明の第２の実施形態に係る摂取カロリー値蓄積システムにおける配膳カウンタ部分の構成を示すブロック図である。同図において図１中の符号と同一の符号は、図１の場合と同様の要素を示す。図１の実施形態においては、ＲＦＩＤリーダ１２と同数の無線機１３を用い、各ＲＦＩＤリーダ１２からの一対データ（社員番号及びカロリー値）を別個に送信するようにしているが、これに対し、本実施形態においては、図５に示すように、各ＲＦＩＤリーダ１２からの一対データを１つの無線機５１により送信するようにしている。図中の５２は各ＲＦＩＤリーダ１２及び無線機５１間に設けられ、各ＲＦＩＤリーダ１２からのシリアルデータを１つのシリアルデータに変換して無線機５１に供給する変換器である。他の構成は図１の実施形態の場合と同様である。
【００２４】
各社員１０が社員証１１を各ＲＦＩＤリーダ１２上にかざしたときに各ＲＦＩＤリーダ１２により取得される一対データは、変換器５２により１つのシリアルデータに変換されて、無線機５１に送られる。無線機５１は、送られてくる各一対データを順次無線機１４を介してパソコン１５に供給する。他の点については、図１の実施形態の場合と同様である。
【００２５】
図６は本発明の第３の実施形態に係る摂取カロリー値蓄積システムにおける配膳カウンタ部分の構成を示すブロック図である。同図において図１中の符号と同一の符号は、図１の場合と同様の要素を示す。他の構成は図１の実施形態の場合と同様である。図１の実施形態においては、社員番号及びカロリー値からなる一対データを、ＲＦＩＤリーダ１２により取得して送信するようにしているが、本実施形態においては、ＲＦＩＤリーダ１２において、該一対データに対し、さらに他の情報を付加して送信するようにしている。すなわち、本実施形態においては、一対データとしての社員番号及びカロリー値に加え、該一対データを取得した日付及び時間を示す時刻情報、該カロリー値に係る配膳メニューの価格を示す価格情報等の情報を含むデータをＲＦＩＤリーダ１２において取得し、一組データとしてパソコンン１５に対して供給するようにしている。時刻情報はＲＦＩＤリーダ１２が有する時計機能により取得することができる。他の価格情報等は、キー入力部３２により予め入力された情報に基づいて取得することができる。
【００２６】
パソコン１５は、ＲＦＩＤリーダ１２から供給される各一組データに含まれる社員番号や、カロリー値、時刻情報、価格情報等を、所定の表計算ソフト用のデータに変換し、該表計算ソフトが扱う所定のファイル中の新たなレコードとして記録する。このレコードには、社員番号、カロリー値、時刻情報、価格情報等の項目が含まれる。これにより、各社員１０について、いつ、どれだけのカロリーを、どれだけの費用を費やして摂取したかが順次記録され、データベース化されてゆくことになる。他の点については、図１や図５の実施形態の場合と同様である。本実施形態によれば、カロリー値とともに時刻情報や価格情報等も社員番号に対応付けてデータベース化し、管理することができる。
【００２７】
図７は本発明の第４の実施形態に係る摂取カロリー値蓄積システムの構成を示すブロック図である。同図において、図１中の符号と同一の符号は、図１の場合と同様の要素を示す。本実施形態において図１の実施形態の場合と異なるのは、社員証１１のＩＣタグ１１ａには社員番号に加え、社員１０が利用する電子メールアドレスが予め記録されており、この電子メールアドレスが社員番号とともにＲＦＩＤリーダ１２により読み取られ、パソコン１５に供給される点にある。
【００２８】
パソコン１５は順次供給される一対データ（社員番号及びカロリー値）及び対応する電子メールアドレスを、各供給時点でのタイムスタンプとともに、所定の表計算ソフトが扱うファイル中のレコードとして順次記録し、データベース化する。各レコードには、社員番号、カロリー値、電子メールアドレス、並びに付加されたタイムスタンプによる時刻の各項目が含まれる。パソコン１５は、蓄積された各レコードに基づき、各社員１０について、一定期間毎に、摂取したカロリー量を算出し、算出したカロリー量に関する所定形式の電子メールを生成し、対応する電子メールアドレス宛に送信する。各社員１０は所持する携帯電話７２により自分宛の電子メールを受信し、摂取したカロリー量を確認することができる。このような電子メールによる情報提供は、各社員１０からの所定形式の電子メールによるリクエストに応じ、パソコン１５が返信するという形式で行うようにしてもよい。リクエストには、カロリー量算出の基礎とする期間の指定を含めることができるようにしてもよい。他の点については、図１や、図５、図６の実施形態の場合と同様である。本実施形態によれば、各社員１０は、電子メールにより、手軽に、社内食堂における摂取カロリーに関する情報を取得することができる。
【００２９】
図８は本発明の第５の実施形態に係る摂取カロリー値蓄積システムの構成を示すブロック図である。同図において、図１中の符号と同一の符号は、図１の場合と同様の要素を示す。本実施形態において、図１の実施形態の場合と異なるのは、配膳カウンタ１６がスポーツクラブのカフェテラスに設けられたものであり、パソコン１５及び無線機１４が該スポーツクラブの管理事務所に設けられており、社員１０の代わりに該スポーツクラブの会員８０について、摂取カロリー値の蓄積を行う点にある。ＩＣタグ１１ａは会員８０が所持する会員証８１に組み込まれている。ＩＣタグ１１ａには社員番号の代わりに会員番号が記録されている。この場合、図１の実施形態の場合と同様にして、各ＲＦＩＤリーダ１２により会員番号及びカロリー値が取得され、パソコン１５により蓄積され、データベース化される。他の点については、図１や、図５、図６、図７の実施形態の場合と同様である。本実施形態によれば、会員証８１を利用することにより、図１の実施形態の場合と同様にして、各会員８０がスポーツクラブのカフェテラス等において摂取するカロリーを管理することができる。
【００３０】
図９は本発明の第６の実施形態に係る販売商品情報蓄積システムの構成を示すブロック図である。同図において図１中の符号と同一の符号は、図１の場合と同一の要素を示す。図中の９１はＲＦＩＤリーダ１２に接続されたバーコードリーダであり、９２は社内売店の商品９３に付されたバーコードである。ＲＦＩＤリーダ１２、無線機１３、及びバーコードリーダ９１は社内売店内に設置される。パソコン１５には予め、売店内の各商品のバーコードの情報が、該商品についてのカロリー等の情報に関連付けられて、記憶されている。
【００３１】
図９に示すように、社員１０が商品９３を購入する場合、会計時にバーコードリーダ９１により、購入する１又は複数の商品９３に付されたバーコード９２を読み取らせる。読み取られた各バーコード９２の情報は、バーコードリーダ９１からＲＦＩＤリーダ１２に送られ、ＲＦＩＤリーダ１２により記憶される。次に、社員１０が、ＲＦＩＤリーダ１２に対して社員証をかざすと、ＲＦＩＤリーダ１２は社員証のＩＣタグ１１ａから社員番号を読み取る。これをトリガとして、ＲＦＩＤリーダ１２により読み取られたバーコード情報及び社員番号は、無線機１３及び１４を介してパソコン１５に送られる。パソコン１５はこの情報を順次蓄積してデータベース化する。データベース化された情報は、データベース参照プログラム等のツールを用いて、上述のカロリー等の情報とともに参照し、各社員１０毎の商品購入状況や、カロリー摂取状況等の管理に供することができる。なお、パソコン１５に予め記憶されているカロリー等の情報は、ＲＦＩＤリーダ１２に記憶させておき、ＲＦＩＤリーダ１２が読み取ったバーコード情報及び社員情報がパソコン１５に送られるときに、併せて対応するカロリー等の情報が送られるようにしてもよい。
【００３２】
本実施形態によれば、社内売店において、会計時に、商品９３のバーコードをＲＦＩＤリーダ１２内で社員番号と対にして取得し、データベース化するようにしたため、各社員の購入した商品やその商品によるカロリー摂取量を、該データベースにより管理することができる。
【００３３】
なお、本発明は、上述実施形態に限定されることなく適宜変形して実施することができる。たとえば、上述図６の実施形態において、一組データに含まれる社員番号以外の情報として、カロリー値、時刻情報、及び価格情報を例示したが、これらのほかにも、対応する配膳メニューの料理に含まれる主要な栄養素や、配膳メニューの名称等を含めるようにしてもよい。
【００３４】
また、上述においては対象者の識別情報が記録された識別カードとして、社員証や会員証のＩＣタグに社員番号や会員番号を記録したものを採用し、これをＲＦＩＤリーダにより読み取るようにしているが、この代わりに、対象者の識別情報を光学的又は物理的に記録したカードを採用し、該カードから識別情報を読み取るようにしてもよい。
【図面の簡単な説明】
【００３５】
【図１】本発明の第１の実施形態に係る摂取カロリー値蓄積システムの構成を示すブロック図である。
【図２】図１のシステムにおけるＩＣタグの構成を示すブロック図である。
【図３】図１のシステムにおけるＲＦＩＤリーダの構成を示すブロック図である。
【図４】図１のシステムにおける無線機の構成を示すブロック図である。
【図５】本発明の第２の実施形態に係る摂取カロリー値蓄積システムにおける配膳カウンタ部分の構成を示すブロック図である。
【図６】本発明の第３の実施形態に係る摂取カロリー値蓄積システムにおける配膳カウンタ部分の構成を示すブロック図である。
【図７】本発明の第４の実施形態に係る摂取カロリー値蓄積システムの構成を示すブロック図である。
【図８】本発明の第５の実施形態に係る摂取カロリー値蓄積システムの構成を示すブロック図である。
【図９】本発明の第６の実施形態に係る販売商品情報蓄積システムの構成を示すブロック図である。
【図１０】従来の栄養管理システムの構成を示すブロック図である。
【符号の説明】
【００３６】
１０：社員、１１：社員証、１１ａ：ＩＣタグ、１２：ＲＦＩＤリーダ、１３，１４：無線機、１５：パソコン、８０：会員、８１：会員証、９１：バーコードリーダ、９２：バーコード、９３：商品。
【図１】
2010072970.tif 000003
【図２】
2010072970.tif 000004
【図３】
2010072970.tif 000005
【図４】
2010072970.tif 000006
【図５】
2010072970.tif 000007
【図６】
2010072970.tif 000008
【図７】
2010072970.tif 000009
【図８】
2010072970.tif 000010
【図９】
2010072970.tif 000011
【図１０】
2010072970.tif 000012